(57)【要約】【課題】蝶番なしの薄型メタルフレームを提供する。【解決手段】薄型フレーム１１およびテンプル１２を具え、薄型フレーム１１は、二つのリム１１１、ブリッジ１１２を有する。ブリッジ１１２は、下方の二つのリム１１１の内側に一体成形されたクリングス１１３をそれぞれ配置し、リム１１１は、外側に智１１４をそれぞれ有する。テンプル１２は、リム１１１の智１１４から延長した同材料による薄型金属片である。左右のテンプル１２は、湾曲部１２１をそれぞれ形成して、薄型フレーム１１とメガネ装着の夾角を形成し、さらに、湾曲部１２１に透かし彫り配置部１２２をそれぞれ有する。【選択図】図１
0003153796.tif 000002
【実用新案登録請求の範囲】
【請求項１】
二つのリムおよび少なくとも一つのブリッジを有し、前記ブリッジは下方の前記二つのリムの内側に一体成形されたクリングスをそれぞれ配置し、前記リムは外側に智をそれぞれ有する薄型フレームと、
前記リムの前記智から延長した同材料による薄型金属片であり、湾曲部をそれぞれ形成して前記薄型フレームとメガネ装着の夾角を形成し、前記湾曲部に少なくとも一つの透かし彫り配置部をそれぞれ有するテンプルと、を備えることを特徴とする蝶番なしの薄型メタルフレーム。
【請求項２】
前記透かし彫り配置部は、図案化されたものであることを特徴とする請求項１に記載の蝶番なしの薄型メタルフレーム。
【請求項３】
二つの前掛けレンズおよびブリッジクリップを有し、前記ブリッジクリップが前記薄型フレームの前記ブリッジに挟持されて前掛けレンズユニットが形成され、前記二つの前掛けレンズはサングラスである前掛けクリップフレームを、さらに備えることを特徴とする請求項１に記載の蝶番なしの薄型メタルフレーム。
【考案の詳細な説明】
【技術分野】
【０００１】
本考案は、蝶番なしのメガネフレームに関し、特に、蝶番なしの薄型メタルフレームに関する。
【背景技術】
【０００２】
従来のメガネフレームは、蝶番により智とテンプルとを結合しているものが多いが、蝶番による結合は、コストが高く、構造が複雑で、ネジのユルミ、外れ、折れなど問題が多いのが大きな欠点であった。
【先行技術文献】
【特許文献】
【０００３】
【特許文献１】特開２００３−２９２１４号公報
【特許文献２】特開平０１−１４２７０８号公報
【考案の概要】
【考案が解決しようとする課題】
【０００４】
本考案の目的は、蝶番の有する様々な欠点を解消する蝶番なしの薄型メタルフレームを提供することにある。
【０００５】
上述の目的を達成するため、本考案は、蝶番なしの薄型メタルフレームを提供する。本考案の蝶番なしの薄型メタルフレームは、薄型フレームおよびテンプルを含む。薄型フレームは、二つのリムおよび少なくとも一つのブリッジを有する。ブリッジは、下方の二つのリムの内側に一体成形されたクリングスをそれぞれ配置している。リムは、外側に智をそれぞれ有する。テンプルは、リムの智から延長した同材料による薄型金属片である。テンプルは、湾曲部をそれぞれ形成している。テンプルは、薄型フレームとメガネ装着の夾角を形成している。テンプルは、湾曲部に少なくとも一つの透かし彫り配置部をそれぞれ有する。
【考案の効果】
【０００６】
本考案の蝶番なしの薄型メタルフレームは、薄型フレームとテンプルとの間に接点がなくなったため、蝶番の有する様々な欠点を排除することができる。また、蝶番がないことにより、コストを削減し、軽量化が実現し、寿命を延長させることができる。一体成形されたテンプルに湾曲部に透かし彫り配置部が設けられることにより、板材の応力が調節され、適切な湾曲性および変形に対する抗力が生まれた。透かし彫り配置部には、図案化されたものであるため、実用性および装飾性を兼ね備えることができる。薄型フレームにサングラスなどの前掛けクリップフレームが設けられることにより、異なる付加機能を与えることができる。
【図面の簡単な説明】
【０００７】
【図１】本考案の一実施形態による蝶番なしの薄型メタルフレームを示す斜視図である。
【図２】蝶番なしの薄型メタルフレームにレンズを装着した状態を示す斜視図である。
【図３】本考案の一実施形態による蝶番なしの薄型メタルフレームを示す平面図である。
【図４】本考案のもう一つの実施形態による蝶番なしの薄型メタルフルリムフレームを示す正面図である。
【図５】図４の側面図である。
【図６】蝶番なしの薄型メタルフルリムフレームに前掛けクリップフレームを装着した状態を示す側面図である。
【考案を実施するための形態】
【０００８】
以下、本考案の実施形態を図面に基づいて説明する。
【０００９】
図１〜３を参照する。図１は、本考案の一実施形態による蝶番なしの薄型メタルフレームを示す斜視図である。図２は、蝶番なしの薄型メタルフレームにレンズを装着した状態を示す斜視図である。図３は、本考案の一実施形態による蝶番なしの薄型メタルフレームを示す平面図である。図１〜３に示すように、本考案の蝶番なしの薄型メタルフレーム１０は、金属材料がアルミニウム、チタン合金、貴金属などよく、薄型フレーム１１およびテンプル１２を具える。薄型フレーム１１は、二つのリム１１１および少なくとも一つのブリッジ１１２（強度を上げるため、曲面でもよい）を有する。ブリッジ１１２は、下方の二つのリム１１１の内側にクリングス１１３をそれぞれ配置している。クリングス１１３は、テンプル１２と一体成形してもよいし、別に溶接して装着してもよい。また、クリングス１１３は、パッド１３をそれぞれ有する。リム１１１は、外側に智１１４をそれぞれ有する。
【００１０】
テンプル１２は、リム１１１の智１１４から延長した同材料による薄型金属片である。テンプル１２は、湾曲部１２１をそれぞれ形成し、薄型フレーム１１とメガネ装着の夾角を形成している。テンプル１２は、左右の湾曲部１２１に少なくとも一つの透かし彫り配置部１２２をそれぞれ有する。透かし彫り配置部１２２は、図案化（patterning）されたものにすることもできる。テンプル１２は、智１１４と相対する末端にセル１４を配置している。
【００１１】
本考案の蝶番なしの薄型メタルフレーム１０は、ナイロールフレームで、ナイロン糸などでレンズ１５の下縁を支持・押圧して、リム１１１の下部にある穴に固定する。
【００１２】
図４および図５を参照する。図４は、本考案のもう一つの実施形態による蝶番なしの薄型メタルフルリムフレームを示す正面図である。図５は、図４の側面図である。図４および図５に示すように、本考案のもう一つの実施形態による蝶番なしの薄型メタルフレーム１０’は、リム１１１’がフルリムであることが異なる。また、テンプル１２の透かし彫り配置部１２２’は、デザインが異なる。
【００１３】
図６を参照する。図６は、蝶番なしの薄型メタルフルリムフレームに前掛けクリップフレームを装着した状態を示す側面図である。図６に示すように、蝶番なしの薄型メタルフレーム１０、１０’は、薄型の金属片構造で、前掛けクリップフレーム２０をさらに含む。前掛けクリップフレーム２０は、二つの前掛けレンズ（サングラスでもよい）２１およびブリッジクリップ（挟持する物）２２を有する。ブリッジクリップ２２が薄型フレーム１１のブリッジ１１２に挟持されて前掛けレンズユニットが形成される。
【００１４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１５】
１０  蝶番なしの薄型メタルフレーム
１０’  蝶番なしの薄型メタルフレーム
１１  薄型フレーム
１２  テンプル
１３  パッド
１４  セル
１５  レンズ
２０  前掛けクリップフレーム
２１  前掛けレンズ
２２  ブリッジクリップ
１１１  リム
１１１’リム
１１２  ブリッジ
１１３  クリングス
１１４  智
１２１  湾曲部
１２２  透かし彫り配置部
１２２’ 透かし彫り配置部  
【図１】
0003153796.tif 000003
【図２】
0003153796.tif 000004
【図３】
0003153796.tif 000005
【図４】
0003153796.tif 000006
【図５】
0003153796.tif 000007
【図６】
0003153796.tif 000008